(57)【要約】【課題】  メインデータ用の記録領域と、補助データ用の記録領域をインターリーブして記録媒体に記録した場合に、補助データ用の記録領域に記録されたデータを容易に閲覧できるようにすること。【解決手段】  所定の大きさを有する、メインデータ用のＶｉｄｅｏＵｎｉｔ領域と補助データ用のＰＲＵ領域とを１記録単位として、記録単位毎にデータをディスク（１１３）に記録するデジタルカメラ（１００）であって、ＰＲＵ領域に、ＶｉｄｅｏＵｎｉｔ領域に記録された画像データに関連した画像データを記録する場合に、ＶｉｄｅｏＵｎｉｔ領域に記録した画像データに係る画像とＰＲＵ領域に記録した画像データに係る画像とを同一画面上に表示する再生リストを生成するＣＰＵ（１０９）再生リスト生成手段と、生成した再生リストをディスクに記録するディスクＩ／Ｆ（１０８）とを有する。【選択図】  図１
2006031794.tif 000002
【特許請求の範囲】
【請求項１】
所定の大きさを有する、メインデータ用の第１の記録領域と補助データ用の第２の記録領域とを１記録単位として、記録単位毎にデータを記録媒体に記録する記録装置であって、
前記第２の記録領域に、前記第１の記録領域に記録された第１の画像データに関連した第２の画像データを記録する場合に、前記第１の画像データに係る画像と前記第２の画像データに係る画像とを同一画面上に表示する再生リストを生成する再生リスト生成手段と、
生成した再生リストを前記記録媒体に記録する記録手段と
を有することを特徴とする記録装置。
【請求項２】
前記記録媒体に記録された前記第１の画像データ、前記第２の画像データおよび前記再生リストを読み出す読み出し手段と、
前記再生リストに基づいて、前記第１の画像データに係る画像と前記第２の画像データに係る画像とを同一画面上に表示するべく前記読み出し手段による前記第１の画像データと第２の画像データの読み出し動作を制御する制御手段と
を更に有することを特徴とする請求項１に記載の記録装置。
【請求項３】
前記再生リスト生成手段は、前記第１の画像データの記録時間と前記第２の画像データの記録時間の差が所定以内の場合、前記第１及び第２の画像データを同一画面上に表示する再生リストを生成することを特徴とする請求項１または２に記載の記録装置。
【請求項４】
前記再生リスト生成手段は、前記第１の記録領域と前記第２の記録領域の記録媒体上の距離が所定以内の場合、前記第１及び第２の画像データを同一画面上に表示する再生リストを生成することを特徴とする請求項１乃至３のいずれかに記載の記録装置。
【請求項５】
前記再生リスト生成手段は、前記第２の画像データを所定時間以上表示させるように再生リストを生成することを特徴とする請求項１乃至４のいずれかに記載の記録装置。
【請求項６】
前記再生リスト生成手段は、生成した再生リストに、記録媒体にすでに記録されている他の再生リストとは異なるファイル名をつけることを特徴とする請求項１乃至５のいずれかに記載の記録装置。
【請求項７】
記録媒体はディスク状の記録媒体であることを特徴とする請求項１乃至６のいずれかに記載の記録装置。
【請求項８】
所定の大きさを有する、メインデータ用の第１の記録領域と補助データ用の第２の記録領域とを１記録単位として、記録単位毎に記録媒体に記録されたデータを再生する再生装置であって、
前記第２の記録領域に画像データが記録されていることを検出する検出手段と、
前記第２の記録領域に画像データが記録されている場合に、前記第１の記録領域に記録された画像データに係る画像と前記第２の記録領域に記録された画像データに係る画像とを同一画面上に表示する再生リストを生成する再生リスト生成手段と
を有することを特徴とする再生装置。
【請求項９】
前記記録媒体から前記再生リストと前記第１及び第２の記録領域に記録された画像データとを再生する再生手段と、
前記再生リストに基づいて、前記第１の記録領域及び第２の記録領域に記録された画像データに係る画像を同一画面上に表示するべく前記再生手段による再生動作を制御する制御手段を更に有することを特徴とする請求項８に記載の再生装置。
【請求項１０】
前記再生リスト生成手段は、前記第１の記録領域に記録された画像データの撮影時間と前記第２の記録領域に記録された画像データの撮影時間の差が所定以内の場合、前記第１及び第２の記録領域に記録された画像データを同一画面上に表示する再生リストを生成することを特徴とする請求項８または９に記載の再生装置。
【請求項１１】
前記再生リスト生成手段は、前記第１の記録領域と前記第２の記録領域の記録媒体上の距離が所定以内の場合、前記第１及び第２の記録領域に記録された画像データを同一画面上に表示する再生リストを生成することを特徴とする請求項８乃至１０のいずれかに記載の再生装置。
【請求項１２】
前記再生リスト生成手段は、前記第２の記録領域に記録された画像データを所定時間以上表示させるように再生リストを生成することを特徴とする請求項８乃至１１のいずれかに記載の再生装置。
【請求項１３】
前記再生リスト生成手段は、生成した再生リストに、記録媒体にすでに記録されている他の再生リストとは異なるファイル名をつけることを特徴とする請求項８乃至１２のいずれかに記載の再生装置。
【請求項１４】
記録媒体はディスク状の記録媒体であることを特徴とする請求項８乃至１３のいずれかに記載の再生装置。
【請求項１５】
所定の大きさを有する、メインデータ用の第１の記録領域と補助データ用の第２の記録領域とを１記録単位として、記録単位毎にデータを記録媒体に記録する記録方法であって、
前記第２の記録領域に、前記第１の記録領域に記録された第１の画像データに関連した第２の画像データを記録する場合に、前記第１の画像データに係る画像と前記第２の画像データに係る画像とを同一画面上に表示する再生リストを生成する再生リスト生成工程と、  生成した再生リストを前記記録媒体に記録する記録工程と
を有することを特徴とする記録方法。
【請求項１６】
所定の大きさを有する、メインデータ用の第１の記録領域と補助データ用の第２の記録領域とを１記録単位として、記録単位毎に記録媒体に記録されたデータを再生する再生方法であって、
前記第２の記録領域に画像データが記録されていることを検出する検出工程と、
前記第２の記録領域に画像データが記録されている場合に、前記第１の記録領域に記録された画像データに係る画像と前記第２の記録領域に記録された画像データに係る画像とを同一画面上に表示する再生リストを生成する再生リスト生成工程と
を有することを特徴とする再生方法。
【請求項１７】
情報処理装置が実行可能なプログラムであって、前記プログラムを実行した情報処理装置を、請求項８乃至１４のいずれかに記載の再生装置として機能させることを特徴とするプログラム。
【請求項１８】
請求項１６に記載の再生方法を実現するためのプログラムコードを有することを特徴とする情報処理装置が実行可能なプログラム。
【請求項１９】
請求項１８又は１７に記載のプログラムを記憶したことを特徴とする情報処理装置が読み取り可能な記憶媒体。
【発明の詳細な説明】
【技術分野】
【０００１】
本発明は記録装置及び方法、再生装置及び方法に関し、特に、複数の記録領域を１記録単位とする方式で記録媒体にデータを記録する方式の記録装置及び方法、及び当該方式で記録されたデータを再生する再生装置及び方法に関する。
【背景技術】
【０００２】
従来、ディスク状の記録媒体へのアフターレコーディング（以下、「アフレコ」と呼ぶ。）に音声や画像情報を記録する提案として、特許文献１、特許文献２のようなものがある。
【０００３】
いずれの文献も、映像又は音声からなるメインデータ用の第１の記録領域と、アフレコ音声や静止画像等に代表される補助データ用の第２の記録領域を記録媒体上に所定の大きさの記録ユニットでインターリーブして記録再生する方法である。
【０００４】
特許文献１は、図９に示すように記録媒体にパック単位で画像、音声情報を記録すると共に、アフレコを容易にする為に、データの記録されていない副映像信号や音声用の空きパックをあらかじめ設けておくというものである。
【０００５】
特許文献２は、図１０に示すように映像又は音声からなる第１のデータ領域と、それと同期して再生するアフレコ用データ領域をＰｏｓｔ  Ｒｅｃｏｒｄｉｎｇ  Ｕｎｉｔ（ＰＲＵ）として第２のデータ領域とを有する。そして第１のデータ領域と第２のデータ領域を１個のユニットとして記録媒体に記録し、１個以上のユニットを管理する管理プログラムも記録媒体に記録するというものである。
【０００６】
【特許文献１】特開平１１−２５９９９２号公報
【特許文献２】特開２００２−３７３４８０号公報
【発明の開示】
【発明が解決しようとする課題】
【０００７】
上述したいずれの従来例も、記録媒体にメインデータ用の第１の記録領域とアフレコ音声や静止画像等に代表される補助データ用の第２の記録領域をインターリーブして記録する方式を提案したものである。これらの方式で記録された記録媒体には補助データ用の第２の記録領域に何も記録されていない場合や、静止画像等の画像データが記録されている場合もある。しかしながら、これら従来例には第２の記録領域に記録された画像データを容易に閲覧する手法が述べられていない。すなわち従来の手法で第２の記録領域にどのような画像が記録されているかを調べる場合は記録媒体に記録された全データをユーザーが再生、モニタしながら確認しなければならず、一般的なユーザーにとっては困難な作業となっていた。
【０００８】
本発明は上記問題点を鑑みてなされたものであり、メインデータ用の記録領域と、補助データ用の記録領域をインターリーブして記録媒体に記録した場合に、補助データ用の記録領域に記録されたデータを容易に閲覧できるようにすることを目的とする。
【課題を解決するための手段】
【０００９】
上記目的を達成するために、所定の大きさを有する、メインデータ用の第１の記録領域と補助データ用の第２の記録領域とを１記録単位として、記録単位毎にデータを記録媒体に記録する本発明の記録装置は、前記第２の記録領域に、前記第１の記録領域に記録された第１の画像データに関連した第２の画像データを記録する場合に、前記第１の画像データに係る画像と前記第２の画像データに係る画像とを同一画面上に表示する再生リストを生成する再生リスト生成手段と、生成した再生リストを前記記録媒体に記録する記録手段とを有する。
【００１０】
また、所定の大きさを有する、メインデータ用の第１の記録領域と補助データ用の第２の記録領域とを１記録単位として、記録単位毎にデータを記録媒体に記録する本発明の記録方法は、前記第２の記録領域に、前記第１の記録領域に記録された第１の画像データに関連した第２の画像データを記録する場合に、前記第１の画像データに係る画像と前記第２の画像データに係る画像とを同一画面上に表示する再生リストを生成する再生リスト生成工程と、生成した再生リストを前記記録媒体に記録する記録工程とを有する。
【００１１】
また、所定の大きさを有する、メインデータ用の第１の記録領域と補助データ用の第２の記録領域とを１記録単位として、記録単位毎に記録媒体に記録されたデータを再生する本発明の再生装置は、前記第２の記録領域に画像データが記録されていることを検出する検出手段と、前記第２の記録領域に画像データが記録されている場合に、前記第１の記録領域に記録された画像データに係る画像と前記第２の記録領域に記録された画像データに係る画像とを同一画面上に表示する再生リストを生成する再生リスト生成手段とを有する。
【００１２】
また、所定の大きさを有する、メインデータ用の第１の記録領域と補助データ用の第２の記録領域とを１記録単位として、記録単位毎に記録媒体に記録されたデータを再生する本発明の再生方法は、前記第２の記録領域に画像データが記録されていることを検出する検出工程と、前記第２の記録領域に画像データが記録されている場合に、前記第１の記録領域に記録された画像データに係る画像と前記第２の記録領域に記録された画像データに係る画像とを同一画面上に表示する再生リストを生成する再生リスト生成工程とを有する。
【発明の効果】
【００１３】
本発明によれば、メインデータ用の記録領域と、補助データ用の記録領域をインターリーブして記録媒体に記録した場合に、補助データ用の記録領域に記録されたデータを容易に閲覧できるようにすることができる。
【発明を実施するための最良の形態】
【００１４】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００１５】
＜第１の実施形態＞
以下、本発明の第１の実施形態について説明する。
【００１６】
図１は本第１の実施形態における本発明が適用されるビデオカメラの構成を示すブロック図である。本第１の実施形態のビデオカメラは、撮像された画像データをＭＰＥＧ２やＪＰＥＧ等の公知の符号化形式で符号化し、ＤＶＤ−ＲＡＭ等の光磁気ディスクに対して記録再生するものである。
【００１７】
図１において、１０１はレンズや撮像素子などを含む撮像部、１０２は撮像部１０１からの画像データを処理するカメラ信号処理部、１０３はビデオカメラ１００の各ブロックの間で画像データや制御データの転送を行うためのバス、１０４はメモリ、１０５はＥＶＦ１０６の表示動作を制御する表示制御部、１０６は液晶パネル等を含むＥＶＦである。
【００１８】
また、１０７は画像データをＭＰＥＧ２やＪＰＥＧ等の符号化形式に従って符号化、復号化するＣＯＤＥＣ、１１３はＤＶＤ−ＲＡＭ等の記録媒体であるディスク、１０８はディスク１１３に対して画像データや音声データその他の制御データを記録再生するディスクＩ／Ｆ、１０９はビデオカメラ１００を統括的に制御するＣＰＵ、１１０は各種操作キー、１１１はメニュー等のキャラクタ画像を生成するキャラクタ発生部、１１２は画像データを始めとする各種データを外部機器とやりとりする入出力部である。
【００１９】
図２は図１のビデオカメラ１００の外観を示す概略図である。図２に示すように、ビデオカメラ１００の本体に対しＥＶＦ１０６が設けられている。また、２０１はビデオカメラ１００の動作モードを設定するメインダイヤル、２０２はメインダイヤル２０１によりムービーカメラモードが設定されている場合に記録開始及び終了を指示するためのトリガキーである。これらメインダイヤル２０１、トリガキー２０２、また図示していないが、再生関連スイッチ、ビデオカメラの各種設定を行うメニュースイッチ等は全て図１の操作キー１１０に含まれる。ユーザは図２のメインダイヤル２０１を操作することでビデオカメラ１００の動作モードを設定することができる。
【００２０】
メインダイヤル２０１において、スチルカメラモードはトリガキー２０２の操作に応じて１フレームの画像データを静止画としてディスク１１３に記録するモード、ムービーカメラモードはトリガキー２０２の操作に応じて動画像データをディスク１１３に記録するモードである。また、再生モードはディスク１１３より静止画像データや動画像データを読み出して再生するモードである。
【００２１】
まず、ムービーカメラモードが選択されている場合のビデオカメラ１００における本第１の実施形態の記録動作について説明する。図２のメインダイヤル２０１によりムービーカメラモードが設定され、トリガキー２０２が操作されると、記録が開始される。
【００２２】
撮像部１０１により得られた画像データはカメラ信号処理部１０２にて周知のカメラ信号処理が施され、バス１０３を介してメモリ１０４に書き込まれる。そして、ＣＯＤＥＣ１０７はメモリ１０４から画像データを読み出し、ＭＰＥＧ２に従う形式にて符号化した後、再びメモリ１０４に書き込む。ディスクＩ／Ｆ１０８は周知の光レーザピックアップや磁気ヘッド、ディスク１１３を駆動するためのメカニズム等を有し、メモリ１０４から符号化された画像データを読み出し、ディスク１１３上に記録する。そして、再びトリガキー２０２が操作されると、ＣＰＵ１０９はＣＯＤＥＣ１０７及びディスクＩ／Ｆ１０８を制御して画像データの記録を停止する。本第１の実施形態では、トリガキー２０２により記録開始が指示された後、再びトリガキー２０２が操作されて記録停止が指示されるまでに記録される一連の動画像データを一つのファイルとしてディスク１１３に記録する。
【００２３】
また、この時、表示制御部１０５は撮像部１０１により得られた動画像データに従う動画像をＥＶＦ１０６に表示する。また、ＣＰＵ１０９はキャラクタ発生部１１１を制御し、カメラの動作状態やモードを示すキャラクタを生成し、表示制御部１０５に出力する。表示制御部１０５はこのキャラクタを動画像に多重してＥＶＦ１０６に表示する。
【００２４】
ディスク１１３に記録された動画像データの状態を図３に示す。図３の３０１はファイルシステムの管理情報であり、ファイル名や作成時刻、ディスク上のアドレス情報等が記録されている。３０２はファイルとして記録されたＡＶストリームデータである。図３に示すように、ＡＶストリームデータ３０２として、アフレコ用のＰｏｓｔ Ｒｅcｏｒｄｉｎｇ Ｕｎｉｔ（ＰＲＵ）と、画像と音声情報が多重化されたＶｉｄｅｏＵｎｉｔとがインターリーブされて記録されている。
【００２５】
通常のムービー記録を行った場合には、図３のＡＶストリームデータ３０２のＶｉｄｅｏＵｎｉｔ領域だけにＡＶストリームが記録され、ＰＲＵ領域にはデータは記録されない。
【００２６】
次に、スチルカメラモードが選択されている場合のビデオカメラ１００における第１の実施形態の記録動作について説明する。図２のメインダイヤル２０１によりスチルカメラモードが設定され、トリガキー２０２が操作されると、撮像部１０１により得られた１画面分の画像データのキャプチャ動作が行われる。キャプチャされた１画面分の画像データはカメラ信号処理部１０２にて周知のカメラ信号処理が施され、バス１０３を介してメモリ１０４に書き込まれる。そして、ＣＯＤＥＣ１０７はメモリ１０４から画像データを読み出し、ＪＰＥＧ等の既知の静止画像符号化方式にて符号化した後、再びメモリ１０４に書き込む。ディスクＩ／Ｆ１０８はメモリ１０４から符号化された画像データを読み出し、静止画像データを一つのファイルとしてディスク１１３上に記録する。この場合、図３のＡＶストリームデータ３０２のＰＲＵ領域に静止画像データが記録される。
【００２７】
次に本第１の実施形態における再生リスト生成機能について説明する。
【００２８】
再生リストとは、前述のようにディスク１１３に記録されている画像データの再生手順や再生時間、複数の画像データの画面上での表示位置等を示したデータである。再生リストは例えば、ＳＭＩＬなどの記述言語で記述され、ファイル名などが記載されたヘッダ、再生、表示動作記述データおよびフッタ等から構成される。そして、本第１の実施形態では、図３で示すように記録媒体内に映像、音声からなるＶｉｄｅｏＵｎｉｔ領域と補助データ用のＰＲＵ領域がインターリーブされて記録される記録再生装置において、ＰＲＵ領域に画像データを記録する場合、ＶｉｄｅｏＵｎｉｔ領域に記録した画像データとＰＲＵ領域に記録した画像データを同一画面上に表示する再生リストファイルを生成するものである。
【００２９】
上述した本第１の実施形態の再生リストファイルを生成する手順を、図４のフローチャートを参照しながら説明する。
【００３０】
この処理は図１のＣＰＵ１０９が図１に示すビデオカメラの各ブロック全体を統合して制御することにより行われる。
【００３１】
まずステップＳ４００にて図２のメインダイヤル２０１によりスチルカメラモードが設定され、トリガキー２０２が操作されると、１画面分の画像データをキャプチャしてカメラ信号処理を行う。次にステップＳ４０１にてＪＰＥＧ等の符号化方式で符号化する。ステップＳ４０２で静止画撮影動作が終了したかどうかを判断し、終了していない場合はステップＳ４００、Ｓ４０１の動作を繰り返す。例えば静止画の連写モードの場合、所定の枚数が撮影終了するまで、または、トリガキー２０２が押下されている間、ステップＳ４００、Ｓ４０１の動作を繰り返す。ステップＳ４０２で静止画撮影動作が終了したと判断された場合、ステップＳ４０３で撮影された静止画像データをファイルとしてディスク１１３上のＰＲＵ領域に記録する。
【００３２】
静止画像データはＡＶストリームデータ３０２のＰＲＵ領域に記録するが、静止画像の枚数が多い場合は必ずしも１つのＰＲＵに入らない場合がある。そのような場合は複数のＰＲＵ領域に分割して記録するようにすればよい。次にステップＳ４０４でディスク１１３内にすでに再生リストファイルがあるかどうかを検出する処理を行う。ステップＳ４０４でディスク１１３内にまだ再生リストファイルが無いと判断された場合は、ステップＳ４０５で再生リストファイルを生成する処理を行う。ここで生成される再生リストファイルは、図５で示すようにＶｉｄｅｏＵｎｉｔ領域に記録された動画像５０１とＰＲＵ領域に記録された静止画像５０２を同一画面上に表示する再生動作を記述したものである。
【００３３】
また、ＰＲＵ領域に複数枚（例えば３枚）の静止画像が記録された場合には、図６に示すようにＶｉｄｅｏＵｎｉｔ領域に記録された動画像６０１とＰＲＵ領域に記録された３枚の静止画像６０２〜６０４を同一画面上に表示する動作を記述した再生リストファイルを生成してもよい。
【００３４】
ステップＳ４０４でディスク１１３内にすでに再生リストファイルがあると判断された場合は、ステップＳ４０６に進んで図５や図６に示すようにＶｉｄｅｏＵｎｉｔ領域に記録された動画像とＰＲＵ領域に記録された静止画像を同一画面に表示する動作を記述した再生リストファイルへと記述データを更新する処理を行う。次にステップＳ４０７にて最終的に生成された、あるいは更新された再生リストファイルをディスク１１３上に記録し、一連の処理を終了する。なお、ディスク媒体では、通常、ファイルシステム管理情報３０１をディスクの内周、或いは外周の所定のアドレスに記録するので、画像や音声データなどはそれ以外の領域に記録され、プレイリストデータはこの画像、音声データの記録領域に記録される。また、新たにプレイリストを生成して記録した場合には、このプレイリストに関する情報を管理情報に格納する。
【００３５】
このようにＶｉｄｅｏＵｎｉｔ部に記録された動画像とＰＲＵ部に記録された静止画像を同一画面上に表示する再生動作を記述した再生リストファイルを生成する場合、過去にユーザーが作成した他の再生リストファイルと区別するために本第１の実施形態で生成する再生リストファイルには独自のファイル名を付けても良い（例えば：ＤＩＳＣ＿ＡＬＬ＿ＣＨＥＣＫ．ＬＳＴ）。さらにステップＳ４０４の検索処理においてもディスク１１３内の再生リストファイル検索条件として（ＤＩＳＣ＿ＡＬＬ＿ＣＨＥＣＫ．ＬＳＴ）を検索するようにしても良い。
【００３６】
次に、このようにディスク１１３に記録された画像データの再生時の動作について説明する。メインダイヤル２０１が操作され、再生モードが設定されると、ＣＰＵ１０９はディスクＩ／Ｆ１０８を制御してディスク１１３上に記録されている、再生リストファイル（例えばＤＩＳＣ＿ＡＬＬ＿ＣＨＥＣＫ．ＬＳＴ）のデータを再生し、再生リストを内部のメモリに記憶する。この状態で操作キー１１０の再生キーが操作されると、ＣＰＵ１０９は予め再生された再生リスト中に記述された再生表示記述データに従い、前述のようにＶｉｄｅｏＵｎｉｔ領域に記憶された動画像とＰＲＵ領域に記録された静止画像を同一画面に表示するようにディスクＩ／Ｆ１０８を制御する。ディスクＩ／Ｆ１０８はディスク１１３よりＶｉｄｅｏＵｎｉｔ領域に記録された動画像データとＰＲＵ領域に記録された静止画像データを再生し、ＣＯＤＥＣ１０７に出力する。ＣＯＤＥＣ１０７は再生された画像データをデコードし、表示制御部１０５及び入出力部１１２に出力する。この結果、ＥＶＦ１０６には図５、図６に示したような画像が表示される。また出力部１１２からは例えば外部モニタなどに対しても同様の画像を示すデータが出力される。
【００３７】
以上説明したようにＰＲＵ領域に静止画像が記録された場合に再生リストファイルを生成したり更新したりするが、たとえばＶｉｄｅｏＵｎｉｔ領域に記録された動画像の撮影時刻とＰＲＵ領域に記録された静止画像の撮影時刻に大きな差がある場合も考えられる。この場合、双方の画像の関連性が少ない為、同じ画面に表示するとユーザーがかえって混乱してしまう事も考えられる。このように双方の画像の撮影時間の差が所定以上の場合には再生リストを生成、あるいは更新しないような条件を加えても良い。
【００３８】
またディスク状のメディアにデータを記録する場合、ディスク上での記録位置が大きく離れると光レーザピックアップや磁気ヘッドがシーク動作を行うので再生時のデータの読み取りに時間がかかる場合がある。例えば図７に示すようなＡＶストリームデータ７０１がディスク１１３上に記録されていて、図中ＰＲＵ領域Ｐ７０１のみに静止画像が記録されている例を考えと、ＡＶストリームの先頭にあるＶｉｄｅｏＵｎｉｔ領域Ｐ７００のデータを読み取り、次にＰＲＵ領域Ｐ７０１のデータを読み取るには時間がかかってしまい、ＶｉｄｅｏＵｎｉｔ領域Ｐ７００の動画像とＰＲＵ領域Ｐ７０１の静止画像を同一画面に表示するのは困難になる事が予想される。このような場合にはＰＲＵ領域Ｐ７０１の近傍のＶｉｄｅｏＵｎｉｔ領域Ｐ７０２の動画像が表示されている時に、ＰＲＵ領域Ｐ７０１に記録された画像データを同一画面に表示する、すなわち図７のＡ７０２で示す部分の画像データのみを同一画面上に表示するような再生リストファイル作成するようにしても良い。
【００３９】
つまり、本第１の実施形態において図７に示すようなＡＶストリームデータ７０１を再生する場合には、図７の領域Ａ７０１で示す部分はＶｉｄｅｏＵｎｉｔ領域の動画像のみを表示し、領域Ａ７０２で示す部分はＶｉｄｅｏＵｎｉｔ領域Ｐ７０２の動画像とＰＲＵ領域Ｐ７０１に記録された静止画像を同一画面に表示し、領域Ａ７０３で示す部分はＶｉｄｅｏＵｎｉｔ領域の動画像のみを表示するといった再生動作を行っても良い。
【００４０】
即ち、記録時間が近いもの、及び、記録位置が近いものを、静止画と同時に再生する動画データとして選択するようにしても良い。
【００４１】
また、例えば、図７の領域Ａ７０２のように、１つのＶｉｄｅｏＵｎｉｔ領域に記憶されているデータ量が少なく、領域Ａ７０２の画像データ表示にかかる時間が非常に短い場合も考えられる。その場合、図５のように動画像と静止画像を同一画面上に表示すると、静止画像は少しの時間しか表示されないため、ユーザーが画像の内容を把握しにくくなる。そのような場合にはＰＲＵ部に記録された１枚の静止画像を表示する時間を例えば３秒以上は表示するといった表示時間の制限を再生リストの記述に加えても良い。
【００４２】
本第１の実施形態では他の再生リストファイルと区別するためにＤＩＳＣ＿ＡＬＬ＿ＣＨＥＣＫ．ＬＳＴというファイル名を用いて説明したが、他の再生リストファイルと区別できるファイル名であればよいことは言うまでもない。
【００４３】
また、本第１の実施形態ではＰＲＵ領域に静止画像を記録する例を示したが、ＰＲＵ領域に記録できれば特に静止画像でなくても良く、サムネール動画像やテキストタイトルデータ等、他のタイプのデータでも良い。
【００４４】
このように、本第１の実施形態によれば、記録媒体内に映像、音声からなるＶｉｄｅｏＵｎｉｔ領域と補助データ用のＰＲＵ領域とをインターリーブして記録したり、そのようなデータを再生する記録再生装置において、ＰＲＵ領域に画像データを記録する場合、ＶｉｄｅｏＵｎｉｔ領域に記録した画像データとＰＲＵ領域に記録した画像データを同一画面上に表示する再生リストファイルを自動的に生成するので、動画像を閲覧しながらＰＲＵ領域の部分に記録された静止画像の内容も一度に確認する事が容易に可能となる。
【００４５】
なお、上記第１の実施形態ではプログラムデータをＳＭＩＬにて記述した場合について説明したが、これ以外にも、ＸＭＬ(eXtensible Markup Language)、ＳＧＭＬ(Standard Generalized Markup Language)、ＨＴＭＬ(Hyper Text Markup Language)、Ａｐｐｌｅ社のQuickTimeファイルフォーマット等にて記述することも可能である。
【００４６】
また、圧縮方式として記したＭＰＥＧ２やＪＰＥＧは一例であって、本発明は符号化形式の種類によって制限されるものではない。
【００４７】
＜第２の実施形態＞
以下、本発明の第２の実施形態について説明する。
【００４８】
第２の実施形態に係るビデオカメラの構成は図１に示す第１の実施形態と同様なので説明を省略する。本第２の実施形態の特徴は、記録媒体内に映像、音声からなるＶｉｄｅｏＵｎｉｔ領域と補助データ用のＰＲＵ領域がインターリーブされて記録されているディスク１１３が挿入された場合に、ＣＰＵ１０９はＰＲＵ領域に画像データが記録されていることを検出し、画像データの記録が検出された場合に、ＶｉｄｅｏＵｎｉｔ領域に記録された動画像とＰＲＵ領域に記録された画像を同一画面上に表示する再生動作を記述した再生リストファイルを生成することである。
【００４９】
第１の実施形態のシステムを用いていない他のカメラで記録され、記録媒体内に映像、音声からなるＶｉｄｅｏＵｎｉｔ領域と補助データ用のＰＲＵ領域がインターリーブされて記録されているディスク１１３が挿入された場合、第１の実施形態のようにＶｉｄｅｏＵｎｉｔ領域に記録された動画像とＰＲＵ領域に記録された静止画像を同一画面上に表示する再生動作を記述した再生リストファイルはディスク１１３中には存在しない。このように、他の記録システムで記録されたディスク１１３のＰＲＵ領域にどのような画像が記録されているかを調べる場合に本第２の実施形態は有効になる。
【００５０】
本第２の実施形態におけるディスク１１３を再生する際に行われる初期動作について図８を参照して説明する。
【００５１】
ステップＳ８００において、図２のメインダイヤル２０１が操作され、再生モードが設定されると、ＣＰＵ１０９はディスクＩ／Ｆ１０８を制御してディスク１１３上に記録されている全ての再生リストファイルを検索し、ＶｉｄｅｏＵｎｉｔ領域に記録された動画像とＰＲＵ領域に記録された静止画像を同一画面上に表示する再生リストファイル（ここではＤＩＳＣ＿ＡＬＬ＿ＣＨＥＣＫ．ＬＳＴとする）があるかどうかを検索する。次にステップＳ８０１においてディスク１１３上に再生リストファイル（ＤＩＳＣ＿ＡＬＬ＿ＣＨＥＣＫ．ＬＳＴ）があると判断された場合は第１の実施形態のカメラで作成されたディスクであると判断し、初期動作を終える。ここでステップＳ８００、Ｓ８０１において本第２の実施形態では他の再生リストファイルと区別するためにＤＩＳＣ＿ＡＬＬ＿ＣＨＥＣＫ．ＬＳＴというファイル名を用いているが、第１の実施形態と同じように他の再生リストファイルと区別できる名前であれば何でも良い。
【００５２】
ステップＳ８０１においてディスク１１３上に再生リストファイル（ＤＩＳＣ＿ＡＬＬ＿ＣＨＥＣＫ．ＬＳＴ）が無いと判断された場合は、ステップＳ８０２においてディスク１１３上のファイルシステム管理情報を再生し、ＰＲＵ領域に画像データが記録されているかどうかを検索する。
【００５３】
ステップＳ８０３においてＰＲＵ領域に画像データが記録されていないと判断された場合は初期動作を終了する。ステップＳ８０３においてＰＲＵ領域に画像データが記録されていると判断された場合はステップＳ８０４にてＶｉｄｅｏＵｎｉｔ領域に記録された動画像とＰＲＵ領域に記録された静止画像を同一画面上に表示する再生リストファイル（ＤＩＳＣ＿ＡＬＬ＿ＣＨＥＣＫ．ＬＳＴ）を生成する処理を行う。ここで生成される再生リストファイルは第１の実施形態において図４を参照して説明した手順と同様の手順により生成され、図５（または図６）で示すようなＶｉｄｅｏＵｎｉｔ領域に記録された動画像５０１とＰＲＵ領域に記録された静止画像５０２を同一画面上に表示する再生動作を記述した再生リストファイルである。その後ステップＳ８０５にて最終的に生成された再生リストファイルをディスク１１３上に記録し初期動作を終了する。
【００５４】
なお、これらの初期処理はビデオカメラ１００にディスク１１３が挿入された場合、毎回行うように構成しても良い。
【００５５】
初期動作が終了した後、操作キー１１０の再生キーが操作されると、ＣＰＵ１０９はディスクＩ／Ｆ１０８を制御してディスク１１３上に記録されている（例えばＤＩＳＣ＿ＡＬＬ＿ＣＨＥＣＫ．ＬＳＴ）の再生リストデータを再生し、内部のメモリに記憶する。ＣＰＵ１０９は予め再生された再生リスト中に記述された再生表示記述データに従い、第１の実施形態と同様にＶｉｄｅｏＵｎｉｔ領域に記録された動画像とＰＲＵ領域に記録された静止画像を同一画面に表示するようにディスクＩ／Ｆ１０８を制御する。ディスクＩ／Ｆ１０８はディスク１１３よりＶｉｄｅｏＵｎｉｔ領域に記録された動画像データとＰＲＵ領域に記録された静止画像データを再生し、ＣＯＤＥＣ１０７に出力する。ＣＯＤＥＣ１０７は再生された画像データをデコードし、表示制御部１０５及び入出力部１１２に出力する。この結果、ＥＶＦ１０６には図５、図６に示したような画像が表示される。また入出力部１１２からは例えば外部モニタなどに対しても同様の画像を示すデータが出力される。
【００５６】
また再生リストを生成する条件として第１の実施形態と同様にディスク上での記録位置や各画像データの撮影時間の制限、ＰＲＵ領域の画像の表示時間制限等を加味しても良い事は言うまでも無い。
【００５７】
このように、本第２の実施形態によれば、記録媒体内に映像、音声からなるＶｉｄｅｏＵｎｉｔ領域と補助データ用のＰＲＵ領域がインターリーブされて記録されているディスク１１３が挿入された場合に、ＰＲＵ領域に画像データが記録されていることを検出し、画像データの記録が検出された場合、ＶｉｄｅｏＵｎｉｔ領域に記録された動画像とＰＲＵ領域に記録された画像を同一画面上に表示する再生動作を記述した再生リストファイルを生成する。そして生成された再生リストファイルの指示に従い再生することによりＶｉｄｅｏＵｎｉｔ領域の動画像を閲覧しながらＰＲＵ領域に記録された静止画像の内容も一度に確認する事が可能となる。
【００５８】
＜他の実施形態＞
なお、上記第１及び第２の実施形態では、記録・再生動作を共に実行可能なデジタルカメラに本発明を適用した場合について説明したが、図３に示すフォーマットでデータをインターリーブして記憶する手段及び、図３に示すフォーマットでインターリーブして記録されたデータを読み出して再生する手段の少なくともいずれか一方を有する装置に広く適用することが可能である。
【００５９】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【００６０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【図面の簡単な説明】
【００６１】
【図１】本発明の実施の形態におけるビデオカメラの構成を示すブロック図である。
【図２】図１のビデオカメラの外観を示す概略図である。
【図３】記録媒体に記録された動画像データの状態を示す図である。
【図４】本発明の第１の実施形態における再生リストファイルを生成する手順を示すフローチャートである。
【図５】本発明の第１の実施形態におけるＶｉｄｅｏＵｎｉｔ領域に記録された動画像とＰＲＵ領域に記録された静止画像を同一画面上に表示した例を示す図である。
【図６】本発明の第１の実施形態におけるＶｉｄｅｏＵｎｉｔ領域に記録された動画像とＰＲＵ領域に記録された複数の静止画像を同一画面上に表示した例を示す図である。
【図７】記録媒体に記録された動画データの状態を示す図である。
【図８】第２の実施形態の再生時における初期動作を示すフローチャートである。
【図９】従来の画像データの概略構成を示す図である。
【図１０】従来の画像データの別の概略構成を示す図である。
【符号の説明】
【００６２】
１００  ビデオカメラ
１０１  撮像部
１０２  カメラ信号処理部
１０３  バス
１０４  メモリ
１０５  表示制御部
１０６  ＥＶＦ
１０７  ＣＯＤＥＣ
１０８  ディスクＩ／Ｆ
１０９  ＣＰＵ
１１０  操作キー
１１１  キャラクタ発生部
１１２  入出力部
１１３  ディスク（記録媒体）
２０１  メインダイヤル
２０２  トリガキー
【図１】
2006031794.tif 000003
【図２】
2006031794.tif 000004
【図３】
2006031794.tif 000005
【図４】
2006031794.tif 000006
【図５】
2006031794.tif 000007
【図６】
2006031794.tif 000008
【図７】
2006031794.tif 000009
【図８】
2006031794.tif 000010
【図９】
2006031794.tif 000011
【図１０】
2006031794.tif 000012